【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
バンドルされたランダムアクセスチャネル（ＲＡＣＨ）メッセージを前記ＵＥが基地局（ＢＳ）に送信し得る複数のサブフレームを決定することと、
前記複数のサブフレーム内で、前記バンドルされたＲＡＣＨメッセージを送信するための少なくとも１つの狭帯域領域を決定することと、
前記バンドルされたＲＡＣＨメッセージのためのバンドリングサイズを決定することと、前記バンドリングサイズが、前記バンドルされたＲＡＣＨメッセージが送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを送信することと
を備える、方法。
【請求項２】
前記複数のサブフレームが、前記バンドルされたＲＡＣＨメッセージの開始サブフレームとして利用可能な特定のサブフレームに少なくとも部分的に基づいて決定される、請求項１に記載の方法。
【請求項３】
前記バンドルされたＲＡＣＨメッセージのための前記バンドリングサイズが、
前記ＢＳからのブロードキャストシグナリングと、
前記バンドルされたＲＡＣＨメッセージの前記少なくとも１つの狭帯域領域のロケーションまたは開始サブフレームと、
推定カバレージ拡張ターゲットと、
のうちの１つまたは複数に少なくとも部分的に基づいて決定される、請求項１に記載の方法。
【請求項４】
前記バンドルされたＲＡＣＨメッセージのための前記バンドリングサイズが、前のバンドルされたＲＡＣＨメッセージを正常に復号することの前記ＢＳの成功または失敗に少なくとも部分的に基づいて決定される、請求項１に記載の方法。
【請求項５】
前記成功または失敗が、前に送信されたバンドルされたＲＡＣＨメッセージについての前記ＢＳからのランダムアクセス応答メッセージを正常に復号することに少なくとも部分的に基づいて決定される、請求項４に記載の方法。
【請求項６】
前記前のバンドルされたＲＡＣＨメッセージを正常に復号することの前記ＢＳの失敗に応答して、
前記前のバンドルされたＲＡＣＨメッセージのためのバンドリングサイズに対して前記バンドルされたＲＡＣＨメッセージのための前記バンドリングサイズを増加させること、または
前記前のバンドルされたＲＡＣＨメッセージのための送信電力に対して前記バンドルされたＲＡＣＨメッセージのための送信電力を増加させること
のうちの少なくとも１つをさらに備える、請求項４に記載の方法。
【請求項７】
前記ＢＳからバンドルされたランダムアクセス応答メッセージを受信することをさらに備える、請求項１に記載の方法。
【請求項８】
前記バンドルされたランダムアクセス応答メッセージの制御部分の狭帯域領域またはバンドリングサイズのうちの少なくとも１つが、前記選択されたバンドルされたＲＡＣＨメッセージからの少なくとも１つのプロパティの決定に少なくとも部分的に基づく、請求項７に記載の方法。
【請求項９】
前記少なくとも１つのプロパティが、前記バンドルされたＲＡＣＨメッセージの前記少なくとも１つの狭帯域領域または前記バンドリングサイズのうちの少なくとも１つを備える、請求項８に記載の方法。
【請求項１０】
前記バンドルされたランダムアクセス応答メッセージのタイミングが、前記バンドルされたＲＡＣＨメッセージの前記バンドリングサイズに少なくとも部分的に基づき、および／または、
前記バンドルされたランダムアクセス応答メッセージは、前記ＵＥが接続要求メッセージを送信するための狭帯域領域またはバンドリングサイズのうちの少なくとも１つを示し、
前記バンドルされたランダムアクセス応答メッセージは、前記ＵＥが前記ＢＳから競合解消メッセージを受信するための狭帯域領域またはバンドリングサイズのうちの少なくとも１つを示し、
前記バンドルされたランダムアクセス応答メッセージが、接続要求メッセージを送信するための許可を提供し、前記許可が、トランスポートブロックサイズ（ＴＢＳ）と、バンドリング長さと、サブバンドホッピングインジケータと、送信電力制御（ＴＰＣ）とのうちの少なくとも１つについての情報を示し、および／または
接続要求メッセージを送信するタイミングが、前記バンドルされたランダムアクセス応答メッセージまたは前記接続要求メッセージのうちの少なくとも１つのバンドリングサイズに少なくとも部分的に基づき、および／または、
前記ＢＳからの競合解消メッセージの狭帯域領域またはバンドリングサイズのうちの少なくとも１つが、前記バンドルされたランダムアクセス応答メッセージの狭帯域領域またはバンドリングサイズのうちの少なくとも１つに少なくとも部分的に基づいて決定される、請求項７に記載の方法。
【請求項１１】
前記ＢＳから収集すべきメッセージのタイプを決定するための前記ＵＥの優先度を適用することと、ここにおいて、メッセージの前記タイプが、ランダムアクセス応答メッセージ、ページングメッセージ、またはシステム情報を搬送するブロードキャストメッセージのうちの１つを備える、
前記ＵＥの前記優先度に少なくとも部分的に基づいて、前記ＢＳからのメッセージの前記タイプについて監視することと
をさらに備える、請求項１に記載の方法。
【請求項１２】
基地局（ＢＳ）によるワイヤレス通信のための方法であって、
バンドルされたランダムアクセスチャネル（ＲＡＣＨ）メッセージをユーザ機器（ＵＥ）が前記ＢＳに送信し得る複数のサブフレームを決定することと、
前記複数のサブフレーム内で、前記バンドルされたＲＡＣＨメッセージを受信するための少なくとも１つの狭帯域領域を決定することと、
前記バンドルされたＲＡＣＨメッセージのためのバンドリングサイズを決定することと、前記バンドリングサイズが、前記バンドルされたＲＡＣＨメッセージが前記ＵＥによって送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを受信することと
を備える、方法。
【請求項１３】
請求項１〜１２のいずれか一項に記載の方法を行うように構成されたワイヤレス通信のための装置。
【請求項１４】
前記ＲＡＣＨメッセージを前記ＵＥが送信し得る複数のサブフレームを決定することと、
前記複数のサブフレーム内で、前記バンドルされたＲＡＣＨメッセージのための少なくとも１つの狭帯域領域を決定することと、
前記バンドルされたＲＡＣＨメッセージのためのバンドリングサイズを決定することと、前記バンドリングサイズが、前記バンドルされたＲＡＣＨメッセージが前記ＵＥによって送信される前記複数のサブフレームの数を示す、
を行うように構成された少なくとも１つのプロセッサと、
前記決定されたバンドリングサイズに少なくとも部分的に基づいて、前記複数のサブフレームの前記少なくとも１つの狭帯域領域中で前記バンドルされたＲＡＣＨメッセージを、送信するように構成された送信機または受信するように構成された受信機と、
前記少なくとも１つのプロセッサと結合されたメモリと
を備える、請求項１３に記載の装置。
【請求項１５】
コンピュータ実行可能コードを記憶したコンピュータ可読媒体であって、前記コンピュータ実行可能コードは、請求項１〜１２のいずれか一項に記載の方法を行うように構成される、コンピュータ可読媒体。
【手続補正２】
【補正対象書類名】明細書
【補正対象項目名】０１２４
【補正方法】変更
【補正の内容】
【０１２４】
[00131]本開示の前述の説明は、いかなる当業者でも本開示を作成または使用することができるように提供される。本開示への様々な修正は当業者には容易に明らかになり、本明細書で定義された一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に、本願の出願当初の特許請求の範囲に記載された発明を付記する。
［Ｃ１］
ユーザ機器（ＵＥ）によるワイヤレス通信のための方法であって、
バンドルされたランダムアクセスチャネル（ＲＡＣＨ）メッセージを前記ＵＥが基地局（ＢＳ）に送信し得る複数のサブフレームを決定することと、
前記複数のサブフレーム内で、前記バンドルされたＲＡＣＨメッセージを送信するための少なくとも１つの狭帯域領域を決定することと、
前記バンドルされたＲＡＣＨメッセージのためのバンドリングサイズを決定することと、前記バンドリングサイズが、前記バンドルされたＲＡＣＨメッセージが送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを送信することと
を備える、方法。
［Ｃ２］
前記複数のサブフレームが、前記バンドルされたＲＡＣＨメッセージの開始サブフレームとして利用可能な特定のサブフレームに少なくとも部分的に基づいて決定される、Ｃ１に記載の方法。
［Ｃ３］
前記バンドルされたＲＡＣＨメッセージのための前記バンドリングサイズが、前記ＢＳからのブロードキャストシグナリングに少なくとも部分的に基づいて決定される、Ｃ１に記載の方法。
［Ｃ４］
前記バンドルされたＲＡＣＨメッセージのための前記バンドリングサイズが、前記バンドルされたＲＡＣＨメッセージの前記少なくとも１つの狭帯域領域のロケーション、または開始サブフレームに少なくとも部分的に基づいて決定される、Ｃ１に記載の方法。
［Ｃ５］
前記バンドルされたＲＡＣＨメッセージのための前記バンドリングサイズが、推定カバレージ拡張ターゲットに少なくとも部分的に基づいて決定される、Ｃ１に記載の方法。
［Ｃ６］
前記バンドルされたＲＡＣＨメッセージのための前記バンドリングサイズが、前のバンドルされたＲＡＣＨメッセージを正常に復号することの前記ＢＳの成功または失敗に少なくとも部分的に基づいて決定される、Ｃ１に記載の方法。
［Ｃ７］
前記成功または失敗が、前に送信されたバンドルされたＲＡＣＨメッセージについての前記ＢＳからのランダムアクセス応答メッセージを正常に復号することに少なくとも部分的に基づいて決定される、Ｃ６に記載の方法。
［Ｃ８］
前記前のバンドルされたＲＡＣＨメッセージを正常に復号することの前記ＢＳの失敗に応答して、
前記前のバンドルされたＲＡＣＨメッセージのためのバンドリングサイズに対して前記バンドルされたＲＡＣＨメッセージのための前記バンドリングサイズを増加させること、または
前記前のバンドルされたＲＡＣＨメッセージのための送信電力に対して前記バンドルされたＲＡＣＨメッセージのための送信電力を増加させること
のうちの少なくとも１つをさらに備える、Ｃ６に記載の方法。
［Ｃ９］
前記ＢＳからバンドルされたランダムアクセス応答メッセージを受信することをさらに備える、Ｃ１に記載の方法。
［Ｃ１０］
前記バンドルされたランダムアクセス応答メッセージの制御部分の狭帯域領域またはバンドリングサイズのうちの少なくとも１つが、前記選択されたバンドルされたＲＡＣＨメッセージからの少なくとも１つのプロパティの決定に少なくとも部分的に基づく、Ｃ９に記載の方法。
［Ｃ１１］
前記少なくとも１つのプロパティが、前記バンドルされたＲＡＣＨメッセージの前記少なくとも１つの狭帯域領域または前記バンドリングサイズのうちの少なくとも１つを備える、Ｃ１０に記載の方法。
［Ｃ１２］
前記バンドルされたランダムアクセス応答メッセージのタイミングが、前記バンドルされたＲＡＣＨメッセージの前記バンドリングサイズに少なくとも部分的に基づく、Ｃ９に記載の方法。
［Ｃ１３］
前記バンドルされたランダムアクセス応答メッセージは、前記ＵＥが接続要求メッセージを送信するための狭帯域領域またはバンドリングサイズのうちの少なくとも１つを示す、Ｃ９に記載の方法。
［Ｃ１４］
前記バンドルされたランダムアクセス応答メッセージは、前記ＵＥが前記ＢＳから競合解消メッセージを受信するための狭帯域領域またはバンドリングサイズのうちの少なくとも１つを示す、Ｃ１３に記載の方法。
［Ｃ１５］
前記バンドルされたランダムアクセス応答メッセージが、接続要求メッセージを送信するための許可を提供し、前記許可が、トランスポートブロックサイズ（ＴＢＳ）と、バンドリング長さと、サブバンドホッピングインジケータと、送信電力制御（ＴＰＣ）とのうちの少なくとも１つについての情報を示す、Ｃ９に記載の方法。
［Ｃ１６］
接続要求メッセージを送信するタイミングが、前記バンドルされたランダムアクセス応答メッセージまたは前記接続要求メッセージのうちの少なくとも１つのバンドリングサイズに少なくとも部分的に基づく、Ｃ９に記載の方法。
［Ｃ１７］
前記ＢＳからの競合解消メッセージの狭帯域領域またはバンドリングサイズのうちの少なくとも１つが、前記バンドルされたランダムアクセス応答メッセージの狭帯域領域またはバンドリングサイズのうちの少なくとも１つに少なくとも部分的に基づいて決定される、Ｃ９に記載の方法。
［Ｃ１８］
前記ＢＳから収集すべきメッセージのタイプを決定するための前記ＵＥの優先度を適用することと、ここにおいて、メッセージの前記タイプが、ランダムアクセス応答メッセージ、ページングメッセージ、またはシステム情報を搬送するブロードキャストメッセージのうちの１つを備える、
前記ＵＥの前記優先度に少なくとも部分的に基づいて、前記ＢＳからのメッセージの前記タイプについて監視することと
をさらに備える、Ｃ１に記載の方法。
［Ｃ１９］
ワイヤレス通信のための装置であって、
バンドルされたランダムアクセスチャネル（ＲＡＣＨ）メッセージを前記装置が基地局（ＢＳ）に送信し得る複数のサブフレームを決定するための手段と、
前記複数のサブフレーム内で、前記バンドルされたＲＡＣＨメッセージを送信するための少なくとも１つの狭帯域領域を決定するための手段と、
前記バンドルされたＲＡＣＨメッセージのためのバンドリングサイズを決定するための手段と、前記バンドリングサイズが、前記バンドルされたＲＡＣＨメッセージが送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを送信するための手段と
を備える、装置。
［Ｃ２０］
前記複数のサブフレームが、前記バンドルされたＲＡＣＨメッセージの開始サブフレームとして利用可能な特定のサブフレームに少なくとも部分的に基づいて決定される、Ｃ１９に記載の装置。
［Ｃ２１］
前記バンドルされたＲＡＣＨメッセージのための前記バンドリングサイズが、前記ＢＳからのブロードキャストシグナリングに少なくとも部分的に基づいて決定される、Ｃ１９に記載の装置。
［Ｃ２２］
前記バンドルされたＲＡＣＨメッセージのための前記バンドリングサイズが、前記バンドルされたＲＡＣＨメッセージの前記少なくとも１つの狭帯域領域のロケーション、または開始サブフレームに少なくとも部分的に基づいて決定される、Ｃ１９に記載の装置。
［Ｃ２３］
前記バンドルされたＲＡＣＨメッセージのための前記バンドリングサイズが、推定カバレージ拡張ターゲットに少なくとも部分的に基づいて決定される、Ｃ１９に記載の装置。
［Ｃ２４］
前記バンドルされたＲＡＣＨメッセージのための前記バンドリングサイズが、前のバンドルされたＲＡＣＨメッセージを正常に復号することの前記ＢＳの成功または失敗に少なくとも部分的に基づいて決定される、Ｃ１９に記載の装置。
［Ｃ２５］
ランダムアクセス応答メッセージを復号するための手段をさらに備え、ここにおいて、前記成功または失敗が、前に送信されたバンドルされたＲＡＣＨメッセージについての前記ＢＳからの前記ランダムアクセス応答メッセージを正常に復号することに少なくとも部分的に基づいて決定される、Ｃ２４に記載の装置。
［Ｃ２６］
前記前のバンドルされたＲＡＣＨメッセージを正常に復号することの前記ＢＳの失敗に応答して、
前記前のバンドルされたＲＡＣＨメッセージのためのバンドリングサイズに対して前記バンドルされたＲＡＣＨメッセージのための前記バンドリングサイズ、または
前記前のバンドルされたＲＡＣＨメッセージのための送信電力に対して前記バンドルされたＲＡＣＨメッセージのための送信電力
のうちの少なくとも１つを増加させるための手段をさらに備える、Ｃ２４に記載の装置。
［Ｃ２７］
前記ＢＳからバンドルされたランダムアクセス応答メッセージを受信するための手段をさらに備える、Ｃ１９に記載の装置。
［Ｃ２８］
前記バンドルされたランダムアクセス応答メッセージの制御部分の狭帯域領域またはバンドリングサイズのうちの少なくとも１つが、前記選択されたバンドルされたＲＡＣＨメッセージからの少なくとも１つのプロパティの決定に少なくとも部分的に基づく、Ｃ２７に記載の装置。
［Ｃ２９］
前記少なくとも１つのプロパティが、前記バンドルされたＲＡＣＨメッセージの前記少なくとも１つの狭帯域領域または前記バンドリングサイズのうちの少なくとも１つを備える、Ｃ２７に記載の装置。
［Ｃ３０］
前記バンドルされたランダムアクセス応答メッセージのタイミングが、前記バンドルされたＲＡＣＨメッセージの前記バンドリングサイズに少なくとも部分的に基づく、Ｃ２７に記載の装置。
［Ｃ３１］
接続要求メッセージを送信するための手段をさらに備え、ここにおいて、前記バンドルされたランダムアクセス応答メッセージは、前記装置が前記接続要求メッセージを送信するための狭帯域領域またはバンドリングサイズのうちの少なくとも１つを示す、Ｃ２７に記載の装置。
［Ｃ３２］
競合解消メッセージを受信するための手段をさらに備え、ここにおいて、前記バンドルされたランダムアクセス応答メッセージは、前記装置が前記ＢＳから前記競合解消メッセージを受信するための狭帯域領域またはバンドリングサイズのうちの少なくとも１つを示す、Ｃ３１に記載の装置。
［Ｃ３３］
接続要求メッセージを送信するための手段をさらに備え、ここにおいて、前記バンドルされたランダムアクセス応答メッセージが、前記接続要求メッセージを送信するための許可を提供し、前記許可が、トランスポートブロックサイズ（ＴＢＳ）と、バンドリング長さと、サブバンドホッピングインジケータと、送信電力制御（ＴＰＣ）とのうちの少なくとも１つについての情報を示す、Ｃ２７に記載の装置。
［Ｃ３４］
接続要求メッセージを送信するための手段をさらに備え、ここにおいて、前記接続要求メッセージを送信するタイミングが、前記バンドルされたランダムアクセス応答メッセージまたは前記接続要求メッセージのうちの少なくとも１つのバンドリングサイズに少なくとも部分的に基づく、Ｃ２７に記載の装置。
［Ｃ３５］
競合解消メッセージを受信するための手段をさらに備え、ここにおいて、前記ＢＳからの前記競合解消メッセージの狭帯域領域またはバンドリングサイズのうちの少なくとも１つが、前記バンドルされたランダムアクセス応答メッセージの狭帯域領域またはバンドリングサイズのうちの少なくとも１つに少なくとも部分的に基づいて決定される、Ｃ２７に記載の装置。
［Ｃ３６］
前記ＢＳから収集すべきメッセージのタイプを決定するための前記装置の優先度を適用するための手段と、ここにおいて、メッセージの前記タイプが、ランダムアクセス応答メッセージ、ページングメッセージ、またはシステム情報を搬送するブロードキャストメッセージのうちの１つを備える、
前記装置の前記優先度に少なくとも部分的に基づいて、前記ＢＳからのメッセージの前記タイプについて監視するための手段と
をさらに備える、Ｃ１９に記載の装置。
［Ｃ３７］
ワイヤレス通信のための装置であって、
バンドルされたランダムアクセスチャネル（ＲＡＣＨ）メッセージを前記装置が基地局（ＢＳ）に送信し得る複数のサブフレームを決定することと、
前記複数のサブフレーム内で、前記バンドルされたＲＡＣＨメッセージを送信するための少なくとも１つの狭帯域領域を決定することと、
前記バンドルされたＲＡＣＨメッセージのためのバンドリングサイズを決定することと、前記バンドリングサイズが、前記バンドルされたＲＡＣＨメッセージが送信される前記複数のサブフレームの数を示す、
を行うように構成された少なくとも１つのプロセッサと、
前記決定されたバンドリングサイズに少なくとも部分的に基づいて、前記複数のサブフレームの前記少なくとも１つの狭帯域領域中で前記バンドルされたＲＡＣＨメッセージを送信するように構成された送信機と、
前記少なくとも１つのプロセッサに結合されたメモリと
を備える、装置。
［Ｃ３８］
ユーザ機器（ＵＥ）によるワイヤレス通信のためのコンピュータ可読媒体であって、  バンドルされたランダムアクセスチャネル（ＲＡＣＨ）メッセージを前記ＵＥが基地局（ＢＳ）に送信し得る複数のサブフレームを決定するためのコードと、
前記複数のサブフレーム内で、前記バンドルされたＲＡＣＨメッセージを送信するための少なくとも１つの狭帯域領域を決定するためのコードと、
前記バンドルされたＲＡＣＨメッセージのためのバンドリングサイズを決定するためのコードと、前記バンドリングサイズが、前記バンドルされたＲＡＣＨメッセージが送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを送信するためのコードと
を備えるコンピュータ実行可能コードを記憶した、コンピュータ可読媒体。
［Ｃ３９］
基地局（ＢＳ）によるワイヤレス通信のための方法であって、
バンドルされたランダムアクセスチャネル（ＲＡＣＨ）メッセージをユーザ機器（ＵＥ）が前記ＢＳに送信し得る複数のサブフレームを決定することと、
前記複数のサブフレーム内で、前記バンドルされたＲＡＣＨメッセージを受信するための少なくとも１つの狭帯域領域を決定することと、
前記バンドルされたＲＡＣＨメッセージのためのバンドリングサイズを決定することと、前記バンドリングサイズが、前記バンドルされたＲＡＣＨメッセージが前記ＵＥによって送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを受信することと
を備える、方法。
［Ｃ４０］
前記複数のサブフレームが、前記バンドルされたＲＡＣＨメッセージの開始サブフレームとして利用可能な特定のサブフレームに少なくとも部分的に基づいて決定される、Ｃ３９に記載の方法。
［Ｃ４１］
前記バンドルされたＲＡＣＨメッセージのための前記バンドリングサイズが、前記ＢＳからのブロードキャストシグナリングに少なくとも部分的に基づいて決定される、Ｃ３９に記載の方法。
［Ｃ４２］
前記バンドルされたＲＡＣＨメッセージのための前記バンドリングサイズが、前記バンドルされたＲＡＣＨメッセージの前記少なくとも１つの狭帯域領域のロケーション、または開始サブフレームに少なくとも部分的に基づいて決定される、Ｃ３９に記載の方法。
［Ｃ４３］
前記バンドルされたＲＡＣＨメッセージのための前記バンドリングサイズが、推定カバレージ拡張ターゲットに少なくとも部分的に基づいて決定される、Ｃ３９に記載の方法。
［Ｃ４４］
前記バンドルされたＲＡＣＨメッセージのための前記バンドリングサイズが、前のバンドルされたＲＡＣＨメッセージを正常に復号することの前記ＢＳの成功または失敗に少なくとも部分的に基づいて決定される、Ｃ３９に記載の方法。
［Ｃ４５］
前記成功または失敗は、前のバンドルされたＲＡＣＨメッセージについての前記ＢＳからのランダムアクセス応答メッセージを前記ＵＥが正常に復号することに少なくとも部分的に基づいて決定される、Ｃ４４に記載の方法。
［Ｃ４６］
前記ＢＳからバンドルされたランダムアクセス応答メッセージを送信することをさらに備える、Ｃ３９に記載の方法。
［Ｃ４７］
前記バンドルされたランダムアクセス応答メッセージの制御部分の狭帯域領域またはバンドリングサイズのうちの少なくとも１つが、前記バンドルされたＲＡＣＨメッセージからの少なくとも１つのプロパティの決定に少なくとも部分的に基づいて決定される、Ｃ４６に記載の方法。
［Ｃ４８］
前記バンドルされたＲＡＣＨメッセージからの前記少なくとも１つのプロパティが、前記バンドルされたＲＡＣＨメッセージの前記少なくとも１つの狭帯域領域または前記バンドリングサイズのうちの少なくとも１つを備える、Ｃ４７に記載の方法。
［Ｃ４９］
前記ランダムアクセス応答メッセージのタイミングが、前記バンドルされたＲＡＣＨメッセージの前記バンドリングサイズに少なくとも部分的に基づく、Ｃ４６に記載の方法。
［Ｃ５０］
前記バンドルされたランダムアクセス応答メッセージは、前記ＵＥが接続要求メッセージを送信するための狭帯域領域またはバンドリングサイズのうちの少なくとも１つを示す、Ｃ４６に記載の方法。
［Ｃ５１］
前記バンドルされたランダムアクセス応答メッセージは、前記ＵＥが前記ＢＳから競合解消メッセージを受信するための狭帯域領域またはバンドリングサイズのうちの少なくとも１つを示す、Ｃ５０に記載の方法。
［Ｃ５２］
前記バンドルされたランダムアクセス応答メッセージが、接続要求メッセージを送信するための許可を提供し、前記許可が、トランスポートブロックサイズ（ＴＢＳ）と、バンドリング長さと、サブバンドホッピングインジケータと、送信電力制御（ＴＰＣ）とのうちの少なくとも１つについての情報を示す、Ｃ４６に記載の方法。
［Ｃ５３］
接続要求メッセージを受信するタイミングが、前記バンドルされたランダムアクセス応答メッセージまたは前記接続要求メッセージのうちの少なくとも１つのバンドリングサイズに少なくとも部分的に基づく、Ｃ４６に記載の方法。
［Ｃ５４］
前記ＢＳからの競合解消メッセージの狭帯域領域またはバンドリングサイズのうちの少なくとも１つが、前記バンドルされたランダムアクセス応答メッセージの狭帯域領域またはバンドリングサイズのうちの少なくとも１つに少なくとも部分的に基づいて決定される、Ｃ４６に記載の方法。
［Ｃ５５］
ワイヤレス通信のための装置であって、
バンドルされたランダムアクセスチャネル（ＲＡＣＨ）メッセージをユーザ機器（ＵＥ）が前記装置に送信し得る複数のサブフレームを決定するための手段と、
前記複数のサブフレーム内で、前記バンドルされたＲＡＣＨメッセージを受信するための少なくとも１つの狭帯域領域を決定するための手段と、
前記バンドルされたＲＡＣＨメッセージのためのバンドリングサイズを決定するための手段と、前記バンドリングサイズが、前記バンドルされたＲＡＣＨメッセージが前記ＵＥによって送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを受信するための手段と
を備える、装置。
［Ｃ５６］
前記複数のサブフレームが、前記バンドルされたＲＡＣＨメッセージの開始サブフレームとして利用可能な特定のサブフレームに少なくとも部分的に基づいて決定される、Ｃ５５に記載の装置。
［Ｃ５７］
前記バンドルされたＲＡＣＨメッセージのための前記バンドリングサイズが、前記装置からのブロードキャストシグナリングに少なくとも部分的に基づいて決定される、Ｃ５５に記載の装置。
［Ｃ５８］
前記バンドルされたＲＡＣＨメッセージのための前記バンドリングサイズが、前記バンドルされたＲＡＣＨメッセージの前記少なくとも１つの狭帯域領域のロケーション、または開始サブフレームに少なくとも部分的に基づいて決定される、Ｃ５５に記載の装置。
［Ｃ５９］
前記バンドルされたＲＡＣＨメッセージのための前記バンドリングサイズが、推定カバレージ拡張ターゲットに少なくとも部分的に基づいて決定される、Ｃ５５に記載の装置。
［Ｃ６０］
前記バンドルされたＲＡＣＨメッセージのための前記バンドリングサイズが、前のバンドルされたＲＡＣＨメッセージを正常に復号することの前記装置の成功または失敗に少なくとも部分的に基づいて決定される、Ｃ５５に記載の装置。
［Ｃ６１］
前記成功または失敗は、前のバンドルされたＲＡＣＨメッセージについての前記装置からのランダムアクセス応答メッセージを前記ＵＥが正常に復号することに少なくとも部分的に基づいて決定される、Ｃ６０に記載の装置。
［Ｃ６２］
前記装置からバンドルされたランダムアクセス応答メッセージを送信するための手段をさらに備える、Ｃ５５に記載の装置。
［Ｃ６３］
前記バンドルされたランダムアクセス応答メッセージの制御部分の狭帯域領域またはバンドリングサイズのうちの少なくとも１つが、前記バンドルされたＲＡＣＨメッセージからの少なくとも１つのプロパティの決定に少なくとも部分的に基づく、Ｃ６２に記載の装置。
［Ｃ６４］
前記バンドルされたＲＡＣＨメッセージからの前記少なくとも１つのプロパティが、前記バンドルされたＲＡＣＨメッセージの前記少なくとも１つの狭帯域領域または前記バンドリングサイズのうちの少なくとも１つを備える、Ｃ６３に記載の装置。
［Ｃ６５］
前記バンドルされたランダムアクセス応答メッセージのタイミングが、前記バンドルされたＲＡＣＨメッセージの前記バンドリングサイズに少なくとも部分的に基づく、Ｃ６２に記載の装置。
［Ｃ６６］
前記バンドルされたランダムアクセス応答メッセージは、前記ＵＥが接続要求メッセージを送信するための狭帯域領域またはバンドリングサイズのうちの少なくとも１つを示す、Ｃ６２に記載の装置。
［Ｃ６７］
前記バンドルされたランダムアクセス応答メッセージは、前記ＵＥが前記装置から競合解消メッセージを受信するための狭帯域領域またはバンドリングサイズのうちの少なくとも１つを示す、Ｃ６６に記載の装置。
［Ｃ６８］
前記バンドルされたランダムアクセス応答メッセージが、接続要求メッセージを送信するための許可を提供し、前記許可が、トランスポートブロックサイズ（ＴＢＳ）と、バンドリング長さと、サブバンドホッピングインジケータと、送信電力制御（ＴＰＣ）とのうちの少なくとも１つについての情報を示す、Ｃ６２に記載の装置。
［Ｃ６９］
接続要求メッセージを受信するための手段をさらに備え、ここにおいて、前記接続要求メッセージを受信するタイミングが、前記バンドルされたランダムアクセス応答メッセージまたは前記接続要求メッセージのうちの少なくとも１つのバンドリングサイズに少なくとも部分的に基づく、Ｃ６２に記載の装置。
［Ｃ７０］
競合解消メッセージを送信するための手段をさらに備え、ここにおいて、前記装置からの前記競合解消メッセージの狭帯域領域またはバンドリングサイズのうちの少なくとも１つが、前記バンドルされたランダムアクセス応答メッセージの狭帯域領域またはバンドリングサイズのうちの少なくとも１つに少なくとも部分的に基づいて決定される、Ｃ６２に記載の装置。
［Ｃ７１］
ワイヤレス通信のための装置であって、
バンドルされたランダムアクセスチャネル（ＲＡＣＨ）メッセージをユーザ機器（ＵＥ）が前記装置に送信し得る複数のサブフレームを決定することと、
前記複数のサブフレーム内で、前記バンドルされたＲＡＣＨメッセージを受信するための少なくとも１つの狭帯域領域を決定することと、
前記バンドルされたＲＡＣＨメッセージのためのバンドリングサイズを決定することと、前記バンドリングサイズが、前記バンドルされたＲＡＣＨメッセージが前記ＵＥによって送信される前記複数のサブフレームの数を示す、
を行うように構成された少なくとも１つのプロセッサと、
前記決定されたバンドリングサイズに少なくとも部分的に基づいて、前記複数のサブフレームの前記少なくとも１つの狭帯域領域中で前記バンドルされたＲＡＣＨメッセージを受信するように構成された受信機と、
前記少なくとも１つのプロセッサに結合されたメモリと
を備える、装置。
［Ｃ７２］
基地局（ＢＳ）によるワイヤレス通信のためのコンピュータ可読媒体であって、前記コンピュータ可読媒体は、
バンドルされたランダムアクセスチャネル（ＲＡＣＨ）メッセージをユーザ機器（ＵＥ）が前記ＢＳに送信し得る複数のサブフレームを決定するためのコードと、
前記複数のサブフレーム内で、前記バンドルされたＲＡＣＨメッセージを受信するための少なくとも１つの狭帯域領域を決定するためのコードと、
前記バンドルされたＲＡＣＨメッセージのためのバンドリングサイズを決定するためのコードと、前記バンドリングサイズが、前記バンドルされたＲＡＣＨメッセージが前記ＵＥによって送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを受信するためのコードと
を備える、コンピュータ実行可能コードを記憶した、コンピュータ可読媒体。
［Ｃ７３］
ランダムアクセスチャネル（ＲＡＣＨ）プリアンブルのセットからＲＡＣＨプリアンブルを選択することと、
前記ＲＡＣＨプリアンブルを備える物理ＲＡＣＨ（ＰＲＡＣＨ）メッセージを送信することと、
前記ＲＡＣＨプリアンブルに少なくとも部分的に基づいてランダムアクセス応答（ＲＡＲ）メッセージを受信するためのＲＡＲリソースを決定することと、
前記ＲＡＲリソース上で前記ＲＡＲメッセージを受信することと
を備える、ワイヤレス通信の方法。
［Ｃ７４］
前記ＲＡＣＨプリアンブルに少なくとも部分的に基づいて１つまたは複数の制御チャネル復号候補を識別することと、
前記１つまたは複数の制御チャネル候補をブラインド復号することと
をさらに備える、Ｃ７３に記載の方法。
［Ｃ７５］
前記１つまたは複数の制御チャネル復号候補を識別することが、アグリゲーションレベル、ＲＡＲメッセージバンドリングサイズ、またはＲＡＲメッセージパケットサイズのうちの少なくとも１つを決定することを備える、Ｃ７４に記載の方法。
［Ｃ７６］
前記アグリゲーションレベルが拡張制御チャネル要素（ＥＣＣＥ）を備える、Ｃ７５に記載の方法。
［Ｃ７７］
前記ＲＡＲメッセージパケットサイズが前記ＲＡＣＨプリアンブルに少なくとも部分的に基づく、Ｃ７５に記載の方法。
［Ｃ７８］
前記ＲＡＣＨプリアンブルが、前記ＲＡＲメッセージのバンドリングサイズに少なくとも部分的に基づいて選択される、Ｃ７３に記載の方法。
［Ｃ７９］
前記ＲＡＲリソースが、キャリア帯域幅の狭帯域周波数領域、開始送信時間、開始サブフレーム、またはＲＡＲメッセージバンドリングサイズのうちの少なくとも１つを備える、Ｃ７３に記載の方法。
［Ｃ８０］
前記ＲＡＲメッセージバンドリングサイズがＰＲＡＣＨメッセージバンドリングサイズに依存しない、Ｃ７９に記載の方法。
［Ｃ８１］
ＲＡＣＨプリアンブルを備える物理ランダムアクセスチャネル（ＰＲＡＣＨ）メッセージを受信することと、
前記ＲＡＣＨプリアンブルに少なくとも部分的に基づいてランダムアクセス応答（ＲＡＲ）メッセージを送信するためのＲＡＲリソースを選択することと
を備える、ワイヤレス通信の方法。
［Ｃ８２］
前記ＲＡＣＨプリアンブルに少なくとも部分的に基づいて前記ＲＡＲメッセージのためのバンドリングサイズを決定することをさらに備える、Ｃ８１に記載の方法。
［Ｃ８３］
ワイヤレス通信のための装置であって、
ランダムアクセスチャネル（ＲＡＣＨ）プリアンブルのセットからＲＡＣＨプリアンブルを選択するための手段と、
前記ＲＡＣＨプリアンブルを備える物理ＲＡＣＨ（ＰＲＡＣＨ）メッセージを送信するための手段と、
前記ＲＡＣＨプリアンブルに少なくとも部分的に基づいてランダムアクセス応答（ＲＡＲ）メッセージを受信するためのＲＡＲリソースを決定するための手段と、
前記ＲＡＲリソース上で前記ＲＡＲメッセージを受信するための手段と
を備える、装置。
［Ｃ８４］
前記ＲＡＣＨプリアンブルに少なくとも部分的に基づいて１つまたは複数の制御チャネル復号候補を識別するための手段と、
前記１つまたは複数の制御チャネル候補をブラインド復号するための手段と
をさらに備える、Ｃ８３に記載の装置。
［Ｃ８５］
前記１つまたは複数の制御チャネル復号候補を識別するための前記手段が、アグリゲーションレベル、ＲＡＲメッセージバンドリングサイズ、またはＲＡＲメッセージパケットサイズのうちの少なくとも１つを決定するための手段を備える、Ｃ８４に記載の装置。
［Ｃ８６］
前記アグリゲーションレベルが拡張制御チャネル要素（ＥＣＣＥ）を備える、Ｃ８５に記載の装置。
［Ｃ８７］
前記ＲＡＲメッセージパケットサイズが前記ＲＡＣＨプリアンブルに少なくとも部分的に基づく、Ｃ８５に記載の装置。
［Ｃ８８］
前記ＲＡＣＨプリアンブルが、前記ＲＡＲメッセージのバンドリングサイズに少なくとも部分的に基づいて選択される、Ｃ８３に記載の装置。
［Ｃ８９］
前記ＲＡＲリソースが、キャリア帯域幅の狭帯域周波数領域、開始送信時間、開始サブフレーム、またはＲＡＲメッセージバンドリングサイズのうちの少なくとも１つを備える、Ｃ８３に記載の装置。
［Ｃ９０］
前記ＲＡＲメッセージバンドリングサイズがＰＲＡＣＨメッセージバンドリングサイズに依存しない、Ｃ８９に記載の装置。
［Ｃ９１］
ワイヤレス通信のための装置であって、
ＲＡＣＨプリアンブルを備える物理ランダムアクセスチャネル（ＰＲＡＣＨ）メッセージを受信するための手段と、
前記ＲＡＣＨプリアンブルに少なくとも部分的に基づいてランダムアクセス応答（ＲＡＲ）メッセージを送信するためのＲＡＲリソースを選択するための手段と
を備える、装置。
［Ｃ９２］
前記ＲＡＣＨプリアンブルに少なくとも部分的に基づいて前記ＲＡＲメッセージのためのバンドリングサイズを決定するための手段をさらに備える、Ｃ９１に記載の装置。
［Ｃ９３］
ワイヤレス通信のための装置であって、
ランダムアクセスチャネル（ＲＡＣＨ）プリアンブルのセットからＲＡＣＨプリアンブルを選択することと、
送信機を介して、前記ＲＡＣＨプリアンブルを備える物理ＲＡＣＨ（ＰＲＡＣＨ）メッセージを送信することと、
前記ＲＡＣＨプリアンブルに少なくとも部分的に基づいてランダムアクセス応答（ＲＡＲ）メッセージを受信するためのＲＡＲリソースを決定することと、
受信機を介して、前記ＲＡＲリソース上で前記ＲＡＲメッセージを受信することと
を行うように構成された少なくとも１つのプロセッサと、
前記少なくとも１つのプロセッサに結合されたメモリと
を備える、装置。
［Ｃ９４］
前記少なくとも１つのプロセッサが、
前記ＲＡＣＨプリアンブルに少なくとも部分的に基づいて１つまたは複数の制御チャネル復号候補を識別することと、
前記１つまたは複数の制御チャネル候補をブラインド復号することと
を行うようにさらに構成された、Ｃ９３に記載の装置。
［Ｃ９５］
前記少なくとも１つのプロセッサが、アグリゲーションレベル、ＲＡＲメッセージバンドリングサイズ、またはＲＡＲメッセージパケットサイズのうちの少なくとも１つを決定するように構成された、Ｃ９４に記載の装置。
［Ｃ９６］
前記アグリゲーションレベルが拡張制御チャネル要素（ＥＣＣＥ）を備える、Ｃ９５に記載の装置。
［Ｃ９７］
前記ＲＡＲメッセージパケットサイズが前記ＲＡＣＨプリアンブルに少なくとも部分的に基づく、Ｃ９５に記載の装置。
［Ｃ９８］
前記ＲＡＣＨプリアンブルが、前記ＲＡＲメッセージのバンドリングサイズに少なくとも部分的に基づいて選択される、Ｃ９３に記載の装置。
［Ｃ９９］
前記ＲＡＲリソースが、キャリア帯域幅の狭帯域周波数領域、開始送信時間、開始サブフレーム、またはＲＡＲメッセージバンドリングサイズのうちの少なくとも１つを備える、Ｃ９３に記載の装置。
［Ｃ１００］
前記ＲＡＲメッセージバンドリングサイズがＰＲＡＣＨメッセージバンドリングサイズに依存しない、Ｃ９９に記載の装置。
［Ｃ１０１］
ワイヤレス通信のための装置であって、
ＲＡＣＨプリアンブルを備える物理ランダムアクセスチャネル（ＰＲＡＣＨ）メッセージを受信するように構成された受信機と、
前記ＲＡＣＨプリアンブルに少なくとも部分的に基づいてランダムアクセス応答（ＲＡＲ）メッセージを送信するためのＲＡＲリソースを選択するように構成された少なくとも１つのプロセッサと、
前記少なくとも１つのプロセッサに結合されたメモリと
を備える、装置。
［Ｃ１０２］
前記少なくとも１つのプロセッサが、前記ＲＡＣＨプリアンブルに少なくとも部分的に基づいて前記ＲＡＲメッセージのためのバンドリングサイズを決定するようにさらに構成された、Ｃ１０１に記載の装置。
［Ｃ１０３］
ランダムアクセスチャネル（ＲＡＣＨ）プリアンブルのセットからＲＡＣＨプリアンブルを選択するためのコードと、
前記ＲＡＣＨプリアンブルを備える物理ＲＡＣＨ（ＰＲＡＣＨ）メッセージを送信するためのコードと、
前記ＲＡＣＨプリアンブルに少なくとも部分的に基づいてランダムアクセス応答（ＲＡＲ）メッセージを受信するためのＲＡＲリソースを決定するためのコードと、
前記ＲＡＲリソース上で前記ＲＡＲメッセージを受信するためのコードと
を備える、コンピュータ実行可能コードを記憶した非一時的コンピュータ可読媒体。
［Ｃ１０４］
前記ＲＡＣＨプリアンブルに少なくとも部分的に基づいて１つまたは複数の制御チャネル復号候補を識別するためのコードと、
前記１つまたは複数の制御チャネル候補をブラインド復号するためのコードと
をさらに備える、Ｃ１０３に記載の非一時的コンピュータ可読媒体。
［Ｃ１０５］
前記１つまたは複数の制御チャネル復号候補を識別するための前記コードが、アグリゲーションレベル、ＲＡＲメッセージバンドリングサイズ、またはＲＡＲメッセージパケットサイズのうちの少なくとも１つを決定するためのコードを備える、Ｃ１０４に記載の非一時的コンピュータ可読媒体。
［Ｃ１０６］
前記アグリゲーションレベルが拡張制御チャネル要素（ＥＣＣＥ）を備える、Ｃ１０５に記載の非一時的コンピュータ可読媒体。
［Ｃ１０７］
前記ＲＡＲメッセージパケットサイズが前記ＲＡＣＨプリアンブルに少なくとも部分的に基づく、Ｃ１０５に記載の非一時的コンピュータ可読媒体。
［Ｃ１０８］
前記ＲＡＣＨプリアンブルが、前記ＲＡＲメッセージのバンドリングサイズに少なくとも部分的に基づいて選択される、Ｃ１０３に記載の非一時的コンピュータ可読媒体。
［Ｃ１０９］
前記ＲＡＲリソースが、キャリア帯域幅の狭帯域周波数領域、開始送信時間、開始サブフレーム、またはＲＡＲメッセージバンドリングサイズのうちの少なくとも１つを備える、Ｃ１０３に記載の非一時的コンピュータ可読媒体。
［Ｃ１１０］
前記ＲＡＲメッセージバンドリングサイズがＰＲＡＣＨメッセージバンドリングサイズに依存しない、Ｃ１０９に記載の非一時的コンピュータ可読媒体。
［Ｃ１１１］
ＲＡＣＨプリアンブルを備える物理ランダムアクセスチャネル（ＰＲＡＣＨ）メッセージを受信するためのコードと、
前記ＲＡＣＨプリアンブルに少なくとも部分的に基づいてランダムアクセス応答（ＲＡＲ）メッセージを送信するためのＲＡＲリソースを選択するためのコードと
を備える、コンピュータ実行可能コードを記憶した非一時的コンピュータ可読媒体。
［Ｃ１１２］
前記ＲＡＣＨプリアンブルに少なくとも部分的に基づいて前記ＲＡＲメッセージのためのバンドリングサイズを決定するためのコードをさらに備える、Ｃ１１１に記載の非一時的コンピュータ可読媒体。